(57)【要約】      （修正有）【課題】従来の洋式便器に生じる便器と便座間の隙間を解消して、便器外への尿飛散を容易に防止できる洋式便器の構造。【解決手段】便座１の部位で人体臀部と大腿部が接する便座枠上面２を流線的な湾曲面にし、該底面の便座枠底面３も上面と相対した湾曲面にし、便座底面の延長面にあたる便座枠先端面４を上方に反らした形にして便座１と成し、便器リム部上面７の形状を便座１と一体に重なる流線的な湾曲面にし、便器６の前面に縦状凹面形のふくらみ面９を付け、その上部を凸面状に盛上げ上方に反った面にＵ形状の溝を形成して便器６と成し、そのＵ形溝１０に便座先端が収まることで便器６前方を塞ぐ状態となり、その際の便座枠上面２の最深部を便器後部上面８を基準とした便器水平線１２よりも低く、しかも便器６のＵ形溝内縁１１と便座先端の便座枠内縁５の下部の位置をほぼ同じ高さの構造とする。【選択図】図２
0003139412.tif 000002
【実用新案登録請求の範囲】
【請求項１】
本考案の洋式便器の便座１において、便座枠上面２の形状を座位姿勢時の人体臀部及び大腿部が接する部位を流線的な湾曲面に形成し、その湾曲面の最深部の位置を便座枠内縁５付近の高さに形成し、便座先端の底部になる便座枠先端面４は請求項３で形成するＵ形溝１０に重なる部位であり、その面を丸みのある上方に反って湾曲した形状にし、便座１の底面である便座枠底面３を便座枠上面２と相対する同湾曲面に形成することを特徴とした洋式便器の便座本体に関する構造。
【請求項２】
本考案の洋式便器の便器６において、便器リム部上面７の形状を請求項１の便座枠底面３と重なる流線的な同湾曲面に形成し、その湾曲面の最深部の位置を便器後部上面８を基準とした便器水平線１２よりも低くし、便器６の前方の面を縦状凹面形の膨らみ状にしたふくらみ面９を形成して、該ふくらみ面９の上部面を請求項１の便座枠先端面４と同形の、上方に反って湾曲した形状にすることを特徴とした洋式便器の便器本体に関する構造。
【請求項３】
請求項２で形成したふくらみ面９の上部面に、請求項１の便座枠先端面４が重なって収まる形状のＵ形溝１０を形成して、そのＵ形溝１０の内縁となるＵ形溝内縁１１の高さを請求項２の便器リム部上面７の最深部付近になる位置とし、しかも請求項１の便座８が重なった時の便座枠内縁５とほぼ同じ高さになる構造とすることを特徴とした洋式便器の便器本体に関する構造。
【考案の詳細な説明】
【考案の詳細な説明】
【技術分野】
【０００１】本考案は洋式便器に座位姿勢での放尿時に、便器外への尿の飛散を防止する為の便器本体と便座の形状に係る洋式便器の構造に関する。
【背景技術】
【０００２】  従来の洋式便器において、便器のリム部上面及び便座の底面は平面に形成され、便器に便座を閉じた際に両者の間にほぼ平行な隙間が生じる構造にあり、座位姿勢で放尿する際に人体の特に男性局部がその隙間方向に向かう為、便器外及び隙間周辺に尿の飛散が生じる場合がある。
【考案が解決しようとする課題】
【０００３】  上記の如く、従来の洋式便器に生じていた便器と便座間の隙間を解消して、便器外への尿飛散を防止することを目的とした構造にする。
【課題を解決するための手段】
【０００４】  本考案の請求項１の便座において、便座枠上面の形状を、座位姿勢時に人体臀部及び大腿部が接する部位を流線的な湾曲面にし、その最深部の位置を請求項２の便器の便器水平線より低くい構造することを特徴としたものである。
【０００５】  便座の底面である便座枠底面の形状は、便座枠上面に相対して流線的に湾曲した同形状にして、その延長面の便座枠先端面は請求項３でふくらみ面の上部面に形成するＵ形溝に収まって重なる構造することを特徴としたものである。
【０００６】  上記の便座枠先端面は、請求項３で形成するＵ形溝に収まる部位であり、その面は丸みを付けて上に反って形状で便器前方を塞ぐ状態で便器に重なる湾曲面に形成することを特徴としたものである。
【０００７】  請求項２の便器において、便器リム部上面の形状を請求項１の便座枠底面と重なる形状の流線的な湾曲面にして、その最深部を便器後部上面を基準にした便器水平線よりも低い構造に形成し、便器の前方面に縦状凹面形のふくらみ面を形成して便器内に奥行きを持たせることを特徴とするものである。
【０００８】  上記のふくらみ面の上部面を請求項１の便座枠先端面と同形の上方に反って湾曲した形状にして、その上部面に便座の先端が収まるようにＵ形状の溝を形成してそのＵ形溝の内縁と、便座前方の便座枠内縁下部の位置をほぼ同じ高さの構造としたことを特徴としたものである。
【作用】
【０００９】    本考案の座位姿勢時の洋式便器において、便器のリム部上面及び便座の形状を、便器前方へ流線的に下がった湾曲面に形成することで、人体がやや前屈み状態になり特に男性局部が浅く沈んだ状態で便器内に近くなり、しかも便器前面を縦状凹面形のふくらみ面に形成して便器内に奥行きを持たせ、そのふくらみ面の上部面を凸面状に隆起させしかも、上方に反った湾曲面にしてその湾曲面にＵ形状の溝を形成して便座先端が収まって重なる構造にすることで座位姿勢時の男性局部前方と便器前方を塞ぐ状態となり、従来生じていた便器と便座間の隙間が解消され、しかも人体局部が便器内に近づくことで放尿時の尿は便器内へ確実に流れ、便器外への尿飛散が防止されることで便器周辺の不衛生状態が改善される。
【実施例】
【００１０】    本考案の洋式便器の実施例を図面に基づいて説明する。図１は便座と便器の構造を示す縦側面断面図、図２は実施例に係る便器に便座を閉じた縦側面断面図、図３は便座と便器の上面図、第４図は便座と便器の正面図、第５図は便座と便器の斜視図、第６図は便器の後方からの斜視図、第７図は本考案と従来の洋式便器を比較した縦側面断面図、第８図は本考案と従来の洋式便器の使用状態を比較した縦側面断面図である。【００１１】    本考案の便座１において、図１のように請求項１の便座枠上面２の座位姿勢時に人体臀部と大腿部が接する部位の面を、人体がやや前屈み姿勢になるような流線的な湾曲面に形成し、その底面である便座枠底面３の形状を相対する同形状の構造にして成る。【００１２】    上記の便座枠底面３の延長面である便座枠先端面４の形状を、図２のようにその先端面が便器６前方を塞ぐように上に反った湾曲面に形成して、かつ請求項３で形成するＵ形溝１０に収まって重なる構造にして成る。【００１３】    図２のように便座１を便器６に重ねた際の便座枠上面２の最深部は便器６の便器水平線１２より低くい構造にし、また便座枠先端の便座枠内縁５及び便座枠底面３の最深部をほぼ同じ高さに形成した構造にして成る。【００１４】    請求項２において、便器リム部上面２の形状を請求項１の便座枠底面１０と重なる形状に流線的な湾曲面に形成し、便器の前方面に縦状凹面形のふくらみ面９を形成し便器内に奥行きを持たせた形状にすることで成る。【００１５】    上記の、便器リム部上面７を湾曲面にして便器水平線１２より下げたことで、人体の特に男性局部が便器内に向いて放尿時の尿は便器内へ確実に流れ込む状態になるが、男性局部が便器内に近づく為に予測される便器内からの尿の跳ね返りは、図５のように便器６の前方面を縦状凹面形に膨らんだ形状のふくらみ面９を形成し便器内に奥行きを持たせることで緩和できる。【００１６】    図４のように、上記のふくらみ面９の上部を隆起した形状にして、その上部面に便座１の先端が収まるようにＵ形状の溝であるＵ形溝１０を形成し、そのＵ形溝内縁１１及び請求項２で湾曲した便器リム部上面７の最深部の位置をほぼ同じ高さに形成した構造にして成る。
【考案の効果】
【００１７】    以上の通り、本考案の座位姿勢時の洋式便器において、便器のリム部上面及び便座の形状を、便器前方へ流線的に下がった湾曲面に形成することで、人体がやや前屈み状態になり特に男性局部が浅く沈んだ状態で便器内に近くなり、しかも便器前面を縦状凹面形のふくらみ面に形成して便器内に奥行きを持たせ、そのふくらみ面の上部面を凸面状に隆起させしかも、上方に反った湾曲面にしてその湾曲面にＵ形状の溝を形成して便座先端が収まって重なる構造にすることで座位姿勢時の男性局部前方と便器前方を塞ぐ状態となり、従来生じていた便器と便座間の隙間が解消され、しかも人体局部が便器内に近づくことで放尿時の尿は便器内へ確実に流れ、便器外への尿飛散が防止されることで便器周辺の不衛生な状態が改善される。
【図面の簡単な説明】
【図１】  本考案の便座と便器の構造を示すの縦側面断面図である。
【図２】  本考案の実施例に係る便器と便座を一体にした縦側面断面図である。
【図３】  本考案の便座と便器の上面図である。
【図４】  本考案の便座と便器の正面図である。
【図５】  本考案の便座と便器の斜視図である。
【図６】  本考案の便器のＵ形溝内縁を後方から視た斜視図である。
【図７】  本考案と従来の洋式便器を比較した縦側面断面図である。
【図８】  本考案と従来の洋式便器の使用状態を比較した縦側面断面図である。
【符号の説明】
１  便座
２  便座枠上面
３  便座枠底面
４  便座枠先端面
５  便座枠内縁
６  便器
７  便器リム部上面
８  便器後部上面
９  ふくらみ面
１０  Ｕ形溝
１１  Ｕ形溝内縁
１２  便器水平線
【図１】
0003139412.tif 000003
【図２】
0003139412.tif 000004
【図３】
0003139412.tif 000005
【図４】
0003139412.tif 000006
【図５】
0003139412.tif 000007
【図６】
0003139412.tif 000008
【図７】
0003139412.tif 000009
【図８】
0003139412.tif 000010
【手続補正書】
【提出日】平成19年8月18日(2007.8.18)
【手続補正１】
【補正対象書類名】実用新案登録請求の範囲
【補正対象項目名】全文
【補正方法】変更
【補正の内容】
【実用新案登録請求の範囲】
【請求項１】
本考案の洋式便器の便座１において、便座枠上面２の形状を座位姿勢時の人体臀部及び大腿部が接する部位を流線的な湾曲面に形成し、その湾曲面の最深部の位置を便座枠内縁５付近の高さに形成し、便座先端の底部になる便座枠先端面４を丸みのある上方に反って湾曲した形状にし、便座１の底面である便座枠底面３を便座枠上面２と相対する同湾曲面に形成することを特徴とした洋式便器の便座本体に関する構造。
【請求項２】
本考案の洋式便器の便器６において、便器リム部上面７の形状を流線的な湾曲面に形成し、その湾曲面の最深部の位置を便器後部上面８を基準とした便器水平線１２よりも低くい構造とし、便器６の前方の面を縦状凹面形の膨らみ状にしたふくらみ面９を形成して、該ふくらみ面９の上部面を上方に反って湾曲した形状であることを特徴とする請求項１に記載の洋式便器の便座本体に関する構造。
【請求項３】
請求項２で形成したふくらみ面９の上部面をＵ形状の溝のＵ形溝１０を形成して、そのＵ形溝１０の内縁となるＵ形溝内縁１１の高さは請求項２の便器リム部上面７の最深部付近の高さになることを特徴とする請求項１に記載の洋式便器の便座本体に関する構造。
【手続補正書】
【提出日】平成19年11月6日(2007.11.6)
【手続補正１】
【補正対象書類名】実用新案登録請求の範囲
【補正対象項目名】全文
【補正方法】変更
【補正の内容】
【実用新案登録請求の範囲】
【請求項１】
本考案の洋式便器の便座１において、便座枠上面２の形状を座位姿勢時の人体臀部及び大腿部が接する部位を流線的な湾曲面に形成し、その湾曲面の最深部の位置を便座枠内縁５付近の高さに形成し、便座先端の底部になる便座枠先端面４を丸みのある上方に反って湾曲した形状にし、便座１の底面である便座枠底面３を便座枠上面２と相対する同湾曲面に形成することを特徴とした洋式便器の便座本体に関する構造。
【請求項２】
本考案の洋式便器の便器６において、便器リム部上面７の形状を流線的な湾曲面に形成し、その湾曲面の最深部の位置を便器後部上面８を基準とした便器水平線１２よりも低くい構造とし、便器６の前方の面を縦状凹面形の膨らみ状にしたふくらみ面９を形成して、該ふくらみ面９の上部面を上方に反って湾曲した形状であることを特徴とする請求項１に記載の洋式便器の便座本体に関する構造。
【請求項３】
ふくらみ面９の上部面をＵ形状の溝のＵ形溝１０を形成して、そのＵ形溝１０の内縁となるＵ形溝内縁１１の高さは便器リム部上面７の最深部付近の高さになることを特徴とする請求項２に記載の洋式便器の便座本体に関する構造。